(57)【特許請求の範囲】
【請求項１】
エレベーターのかご内に設けられ、利用客を識別する個人識別手段と、
この個人識別手段による識別信号と上記個人識別手段を操作した時の上記かごの停止階に対応させて予め定められた階床を上記利用客の予想行先階として記憶する予想行先階記憶手段と、
上記個人識別手段から上記識別信号が発せられると、この識別信号と上記かごの停止階から対応する上記予想行先階を上記予想行先階記憶手段から読み取る予想行先階読取手段と、
この読み取られた予想行先階を上記かご内に表示する応答灯と、
この応答灯に上記予想行先階を所定時間表示した後上記利用客の行先階として上記エレベーターの制御盤に登録する時限手段と、
上記かご内に設けられ上記所定時間内の操作によって指定された新たな階床を上記予想行先階に優先して上記利用客の行先階として登録するかご行先釦と
を備え、
上記予想行先階読取手段を、エレベーターが一の階床で戸を開いている間に操作された識別信号と上記階床とから、対応する予想行先階を読み取るものとしたエレベーターの呼び登録装置。
【請求項２】
エレベーターのかご内に設けられ、利用客を識別する個人識別手段と、
この個人識別手段による識別信号と上記個人識別手段を操作した時の上記かごの停止階に対応させて予め定められた階床を上記利用客の予想行先階として記憶する予想行先階記憶手段と、
上記個人識別手段から上記識別信号が発せられると、この識別信号と上記かごの停止階から対応する上記予想行先階を上記予想行先階記憶手段から読み取る予想行先階読取手段と、
この読み取られた予想行先階を上記かご内に表示する応答灯と、
この応答灯に上記予想行先階を所定時間表示した後上記利用客の行先階として上記エレベーターの制御盤に登録する時限手段と、
上記かご内に設けられ上記所定時間内の操作によって指定された新たな階床を上記予想行先階に優先して上記利用客の行先階として登録するかご行先釦と
を備え、
上記予想行先階読取手段を、エレベーターのかごが一の階床で戸を開き始めた時から次に上記かごが上記一の階床から昇降起動するまでの間に操作された識別信号と上記階床とから、対応する予想行先階を読み取るものとしたエレベーターの呼び登録装置。
【請求項３】
予想行先階記憶手段を、個人識別手段による識別信号と、この個人識別手段が操作されたときの階床と、上記識別信号及び上記階床に対応させて予め定められた予想行先階とを一連として記憶するものとした請求項１または２に記載のエレベーターの呼び登録装置。
【請求項４】
予想行先階記憶手段を、個人識別手段による識別信号と、この個人識別手段が操作されたときの階床及び時間帯と、上記識別信号と上記階床及び上記時間帯に対応させて予め定められた予想行先階とを一連として記憶するものとし、予想行先階読取手段を、上記識別信号と上記階床及び上記時間帯とから対応する上記予想行先階を上記予想行先階記憶手段から読み取るものとした請求項１から請求項３のいずれかに記載のエレベーターの呼び登録装置。
【請求項５】
予想行先階記憶手段を、個人識別手段による識別信号と、この個人識別手段が操作されたときの階床及び時間帯と、上記識別信号と上記階床及び上記時間帯に対応させて予め定められた予想行先階とを一連として記憶するものとし、予想行先階読取手段を、上記識別信号と上記識別信号が発せられた時間帯とから対応する上記予想行先階を上記予想行先階記憶手段から読み取り、また、上記時間帯に対応した上記予想行先階が上記予想行先階記憶手段に記憶されていない場合は最も近い時間帯に対応した上記予想行先階を読み取るものとした請求項１から請求項３のいずれかに記載のエレベーターの呼び登録装置。
【請求項６】
時限手段を、予想行先階読取手段が、予想行先階を読み取ってから所定時間かご内に表示した後この予想行先階を行先階としてエレベーターの制御盤に登録すると共に、上記予想行先階を読み取ることができなかった場合は、上記表示及び上記行先階の登録はしないものとし、かご行先釦を、上記かご内に設けられ上記所定時間内に、又は上記予想行先階を読み取ることができないことが判明してから所定時間内に操作されることにより指定された新たな階床を上記予想行先階に優先して上記制御盤に行先階として登録するものとした請求項１から請求項５のいずれかに記載のエレベーターの呼び登録装置。
【請求項７】
時限手段を、予想行先階読取手段が、予想行先階を読み取ってから所定時間かご内に表示した後この予想行先階を行先階としてエレベーターの制御盤に登録すると共に、上記予想行先階を読み取ることができなかった場合は、上記表示及び上記行先階の登録はしないものとし、かご行先釦を、上記所定時間内に操作されることにより指定された新たな階床を上記予想行先階に優先して上記制御盤に行先階として登録し、個人識別信号に起因して上記予想行先階を読み取ることができなかった場合は上記行先階の登録はしないものとした請求項１から請求項６のいずれかに記載のエレベーターの呼び登録装置。
【請求項８】
かご行先釦を、識別信号が発せられた階床に割り当てられて到着したかご内に設置さられたものとした請求項１から請求項７のいずれかに記載のエレベーターの呼び登録装置。
【請求項９】
応答灯を、予想行先階と行先階とで異なる態様で表示するものとした請求項１から請求項８のいずれかに記載のエレベーターの呼び登録装置。
【請求項１０】
応答灯を、予想行先階を表示する場合は点滅点灯とし、行先階を表示する場合は定常点灯とした請求項９に記載のエレベーターの呼び登録装置。
【請求項１１】
個人識別手段を、予め登録された個人についてのみ識別信号を発するものとした請求項１から請求項１０のいずれかに記載のエレベーターの呼び登録装置。
【請求項１２】
個人識別手段を、指紋検出器とした請求項１から請求項１１のいずれかに記載のエレベーターの呼び登録装置。
【請求項１３】
かご行先釦の操作により指定された行先階を、新たな予想行先階として予想行先階記憶手段に書き込む予想行先階書込手段を設けた請求項１から請求項１２のいずれかに記載のエレベーターの呼び登録装置。
【発明の詳細な説明】
【０００１】
【発明の属する技術の分野】
この発明は、エレベーターの呼び登録装置に関するものである。
【０００２】
【従来の技術】
個人識別手段を使用してエレベーターの呼びを登録する発明として、例えば、特開平２−４３１８５号公報には、個人の指紋を予めデータベース化しておいて、エレベーターの利用者の指紋をその都度検出し、上記データベースの指紋と照合した結果、一致した場合のみ呼びを登録するようにして、防犯を図るようにしたものが開示されている。
また、特開平５−７７６号公報には、かご内に指紋検出装置を設けておいて、個人の各指の指紋を各階床に対応させて予め登録しておくことにより、又はその組み合わせを各階床に対応させて予め登録しておくことにより、指紋検出装置がその登録されている指紋を検出した場合に、対応する階床を行先階としてかごを運転するようにしたものが開示されている。かかる呼び登録装置によれば、乗客は１回の操作で指紋照合と行先階の指定の双方を行うことができるので、防犯に併せて少数の指紋検出装置で複数の行先階を指定でき、しかも操作の簡易化が可能となるものである。
【０００３】
【発明が解決しようとする課題】
ところで、ビル内を行き来する人間の行動、即ち動線は、一般に定型化されている。例えば、マンションでは１階と居住階との往復が主となり、また、事務所ビルにおいても、ビルに在籍せず予め個人を識別して登録しておくことができない者（以下、外来者という。）のビル内における動線は１階と目的階を往復する場合が多い。更に、ビルに在籍している者等予め個人を識別して登録しておくことができる者（以下、在籍者という。）であっても、出勤又は退勤時は、１階と自席階との往復となり、勤労時間帯は、関連の深い職場階との往復が主となる。即ち、ビル内の交通は、必ず往復行動である。このため、その交通手段としてエレベーターが使用された場合、復路は往路の逆であり、必然的に決まるものである。しかも、その往路も上記のように定型化している場合が殆どである。
【０００４】
しかしながら、ビル内の動線は、定型化されているといっても各個人毎に区々である。そうした各個人の多様な行動の一過程をエレベーターで処理するために、従来はその都度行先階を指定する方法が採られてきた。上記の指紋検出装置を使用したエレベーターにあっても、その指紋は防犯目的からエレベーターの使用に当って可否を決定するための手段に過ぎず、行先階の指定は往路復路共に個別に指定しなければならず煩雑であった。
【０００５】
この発明は、かかる煩雑さを解消するためになされたもので、各個人のビル内における動線の定型化に着目して行先階の自動登録を目的とするものである。
また、定型化から外れる動線の場合でも、極力行先階の自動登録を可能とすることを目的とする。
更に、ビル内の在籍者に限らず、外来者に対しても同様の自動登録を目的とするものである。
【０００６】
【課題を解決するための手段】
【０００８】
請求項１に記載の発明に係るエレベーターの呼び登録装置は、個人識別手段をかご内に設け、この識別信号とかごの停止している階床とから予想行先階を読み取ってかご内に表示し、確認の後に予想行先階を最終的に行先階としてエレベーターの制御盤に登録するようにしたものにおいて、エレベーターが一の階床で戸を開いている間に操作された識別信号と上記階床とから対応する予想行先階を読み取るようにしたものである。
【０００９】
請求項２に記載の発明に係るエレベーターの呼び登録装置は、個人識別手段をかご内に設け、この識別信号とかごの停止している階床とから予想行先階を読み取ってかご内に表示し、確認の後に予想行先階を最終的に行先階としてエレベーターの制御盤に登録するようにしたものにおいて、かごが一の階床で戸を開き始めた時から次に上記かごが上記一の階床から昇降起動するまでの間に個人識別手段が操作された場合に、その識別信号と上記階床とから対応する予想行先階を読み取るようにしたものである。
【００１０】
請求項３に記載の発明に係るエレベーターの呼び登録装置は、請求項１または２に記載の発明において、個人識別手段による識別信号と、この個人識別手段が操作されたときの階床と、上記識別信号及び上記階床に対応させて予め定められた予想行先階とを一連として予想行先階記憶手段に記憶させるようにしたものである。
【００１１】
請求項４に記載の発明に係るエレベーターの呼び登録装置は、請求項１から請求項３のいずれかに記載の発明において、個人識別手段による識別信号と、この個人識別手段が操作されたときの階床及び時間帯と、上記識別信号と上記階床及び上記時間帯に対応させて予め定められた予想行先階とを一連として予想行先階記憶手段に記憶させておいて、上記識別信号と上記階床及び上記時間帯とから対応する上記予想行先階を読み取るようにしたものである。
【００１２】
請求項５に記載の発明に係るエレベーターの呼び登録装置は、請求項１から請求項３いずれかに記載の発明において、識別信号と階床及び個人識別手段が操作された時間帯とから対応する予想行先階を読み取り、また、上記時間帯に対応した上記予想行先階が予想行先階記憶手段に記憶されていない場合は最も近い時間帯に対応した上記予想行先階を読み取るようにしたものである。
【００１３】
請求項６に記載の発明に係るエレベーターの呼び登録装置は、請求項１から請求項５のいずれかに記載の発明において、かご行先釦による行先階の指定は、予想行先階がかご内に表示されている所定時間内、又は、上記予想行先階が読み取れない場合は、読み取れないことが判明した時から所定時間内に行うことができるようにしたものである。
【００１４】
請求項７に記載の発明に係るエレベーターの呼び登録装置は、請求項１から請求項６のいずれかに記載の発明において、利用客の識別結果が予め記憶された識別結果と一致した場合のみエレベーターの制御盤への行先階の登録を可能とするようにしたものである。
【００１５】
請求項８に記載の発明に係るエレベーターの呼び登録装置は、請求項１から請求項７のいずれかに記載の発明において、乗場に設置された個人識別手段から識別信号が発せられた階床に割り当てられたかご内に設置されたかご行先釦によって予想行先階に優先して行先階を制御盤に登録するとしたものである。
【００１６】
請求項９に記載の発明に係るエレベーターの呼び登録装置は、請求項１から請求項８のいずれかに記載の発明において、応答灯の点灯態様を予想行先階と行先階とで異なるようにしたものである。
【００１７】
請求１０に記載の発明に係るエレベーターの呼び登録装置は、請求項９に記載の発明において、予想行先階を表示する場合は応答灯を点滅点灯させ、行先階を表示する場合は応答灯を定常点灯させるようにしたものである。
【００１８】
請求項１１に記載の発明に係るエレベーターの呼び登録装置は、請求項１から請求項１０のいずれかに記載の発明において、個人識別手段は、予め登録された個人についてのみ識別信号を発するとしたものである。
【００１９】
請求項１２に記載の発明に係るエレベーターの呼び登録装置は、請求項１から請求項１１のいずれかに記載の発明において、個人識別手段として指紋検出器を用いるようにしたものである。
【００２０】
請求項１３に記載の発明に係るエレベーターの呼び登録装置は、請求項１から請求項１２のいずれかに記載の発明において、かご行先釦により指定された行先階を新たな予想行先階として、予想行先階記憶手段に書き込むようにしたものである。
【００２１】
【発明の実施の形態】
実施の形態１．
図１から図６は、この発明の一実施の形態を示す。図１は、この発明の全体構成を示すブロック図で、図中、１はビルの一階床に設けられたエレベーターの乗場、２は乗場の戸、３はかご、４はかごの戸、５は乗場１に設けられてかご３を呼び寄せるための乗場呼びＨＣを発生する乗場釦で、ＵＰ釦とＤＯＷＮ釦からなる。６は乗場１に設けられて利用客を個別に識別して識別信号Ｐｆを発生する個人識別手段で、ここでは、指紋検出器が使用される。７は利用客の行先階と予想される予想行先階ＭＣＣを記憶する予想行先階記憶手段で、この予想行先階ＭＣＣは指紋検出器６からの識別信号Ｐｆとこの指紋検出器６が設けられている階床とを対応させて予め定められる。即ち、その指紋検出器６の設置階から利用客が目的階とする可能性の最も高い階床を予想行先階ＭＣＣとして記憶するもので、この実施の形態では、図２に詳細を示すとおり、上記指紋検出器６の設置階を表す要素として乗場呼びＭＨＣが用いられる。従って、その設置階からＵＰする場合の予想行先階ＭＣＣとＤＯＷＮする場合の予想目的階ＭＣＣをそれぞれ設定することができる。図２はその具体例を示す。７Ｗは乗場呼びＨＣを一のかご３に割り当てる割当回路である。
【００２２】
８は指紋検出器６から識別信号Ｐｆが発せられると対応する予想行先階ＭＣＣを予想行先階記憶手段７から読み取る予想行先階読取手段で、現実にはマイクロコンピューターシステムで構成される。９はこの読み取られた予想行先階ＭＣＣを所定時間Ｔだけ割当てかご３内に点滅表示するための点滅回路である。１０は上記所定時間Ｔを設定するための時限手段で、二極双投のスイッチからなり、その内の一は、ｃ１を共通端子として所定時間Ｔだけ端子ａ１に接続され、上記所定時間Ｔの経過後は端子ｂ１に切り替る時限スイッチ１０ａからなり、また、他は、ｃ２を共通端子として上記所定時間Ｔだけ端子ａ２に接続され、上記所定時間Ｔの経過後は端子ｂ２に切り替る時限スイッチ１０ｂからなる。１１はかご３内に設けられた応答灯で、所定時間Ｔだけ予想行先階ＭＣＣを表示する。１２はかご３内に設けられ所定時間Ｔ内の操作によって指定された新たな階床を利用客の行先階ＣＣとしてエレベーターの各台制御盤１３に設けられた行先階登録回路１４に登録するかご行先釦で、上記行先階ＣＣは時限スイッチ１０ｂを介して予想行先階ＭＣＣに優先して登録されるものである。なお、ここでは応答灯１１とかご行先釦１２とが別の機器として表わしているが、かご行先釦１２のおのおのの釦内に設けた表示灯を応答灯としてもよい。１５は乗場呼びＨＣを登録する乗場呼び登録回路で、この乗場呼びＨＣが割当回路によって一のかご３に割り当てられると、そのかご３が上記乗場呼びＨＣの発生階へ呼び寄せられる。１６は割当かご３のかご行先釦１２からの行先階ＣＣを予想行先階ＭＣＣとして予想行先階記憶手段７に書き込む予想行先階書込手段で、この書込みによって予想行先階ＭＣＣを訂正することができる。
【００２３】
図２は、予想行先階記憶手段７の詳細を示す。即ち、図２は１階から６階迄の６階床のビルについて示し、７ａ０から７ａｎは、乗場呼びＭＨＣとこの乗場呼びＭＨＣに対して最も頻度の高いと予想される予想行先階ＭＣＣとが各人毎かつ各階床毎に記憶されたメモリで、それぞれが１人分に相当し、従って全体でビルの在籍者ｎ＋１人について記憶されている。即ち、メモリ７ａ０は在籍者一人分のメモリで、ａ０番地には１階ＵＰの乗場呼びＭＨＣと対応する予想行先階ＭＣＣとして３階が記憶されている。かかる対応は当該在籍者の動線を考慮して最も確率の高い組合せが採用される。ここで、必ずしも１の番地のメモリに乗場呼びＭＨＣと予想行先階ＭＣＣの両者を記憶させる必要はなく、両者が関連付けて記憶されておれば異なる番地であっても支障のないことは明らかである。同様に（ａ０＋１）番地には１階ＤＯＷＮの乗場呼びＭＨＣと対応する予想行先階ＭＣＣとして１階が記憶されている。ここで、１階は最下階であり、１階ＤＯＷＮの乗場呼びＭＨＣは存在しないので除かれるべきであるが、予想行先階ＭＣＣを１階に設定しおけば支障がないことから都合上記載した。
【００２４】
また、（ａ０＋２）番地には２階のＵＰ呼びの乗場呼びＭＨＣと対応する予想行先階ＭＣＣとして「３」階が記憶されている。以下同様に、（ａ０＋１１）番地には６階ＤＯＷＮの乗場呼びＭＨＣと対応する予想行先階ＭＣＣとして「３」階が記憶されている。メモリ７ａ１は他の在籍者一人分のメモリで、当該在籍者の動線に合わせて乗場呼びＭＨＣと予想行先階ＭＣＣとが、上記メモリ７ａ０と同様にして決定される。このようにして、在籍者全員について予想行先階ＭＣＣが乗場呼びＭＨＣと対応させてメモリ７ａ０からメモリ７ａｎに記憶される。
【００２５】
７ｂ０から７ｂｍは予め登録不可能な外来者について各人の動線に合わせて乗場呼びＭＨＣとこの乗場呼びＭＨＣに対応する予想行先階ＭＣＣとが各人毎に記憶されるメモリで、外来者（ｍ＋１）人分の記憶容量を有する。外来者はビルの在籍者に比べてその動線は比較的単純で、通常階間交通がなく目的階は一の階床に限られる。従って、１階と目的階との往復として把握することができる。
【００２６】
かかる観点から、メモリ７ｂ０についてｂ０番地には、往路として１階ＵＰ呼び１Ｕと対応する予想行先階ＭＣＣとして３階が記憶されている。（ｂ０＋１）番地に復路として３階ＤＯＷＮ呼び３Ｄと対応する予想行先階ＭＣＣとして「１」階が記憶されている。（ｂ０＋２）番地に３階ＵＰ呼び３Ｕと対応する予想行先階ＭＣＣとして「１」階が記憶されている。ここで、３階ＵＰ呼び３Ｕに対して１階を予想行先階ＭＣＣとするのは矛盾しているように思われるが、上記のとおり外来者の動線は１階との往復として把握されるので、３階ＵＰ呼び３Ｕは誤操作と判断したものである。このように外来者用のメモリ７ｂ０から７ｂｍは階間交通がないため少ないメモリ容量ですむことになる。また、外来者は１階との往復とすれば復路の予想目的階ＭＣＣは１階に限られるので、自動的に設定することもできる。尚、外来者であっても階間交通を考慮する必要がある場合は、在籍者と同様にメモリ７ａ０等の内容とすれば足りる。
【００２７】
７ｈは在籍者全員についてその指紋データＭＭが記憶されたメモリで、ｈ番地には一の在籍者の指紋データＭＭ０と、この指紋データＭＭ０に対応させて当該在籍者の予想行先階ＭＣＣが記憶されたメモリ７ａ０の先頭番地ａ０が記憶されている。（ｈ＋１）番地には他の在籍者の指紋データＭＭ１と、この指紋データＭＭ１に対応させて当該在籍者の予想行先階ＭＣＣが記憶されたメモリ７ａ１の先頭番地ａ１が記憶されている。以下同様に、在籍者全員についてｈ番地から（ｈ＋ｎ）番地まで（ｎ＋１）人の指紋データＭＭが記憶されている。
【００２８】
７ｖは外来者用指紋データＶＭが記憶されるメモリで、ｖ番地には一の外来者の指紋データＶＭ０と、この指紋データＶＭ０に対応させて当該外来者の予想行先階ＭＣＣが記憶されたメモリ７ｂ０の先頭番地ｂ０が記憶されている。（ｖ＋１）番地には他の外来者の指紋データＶＭ１と、この指紋データＶＭ１に対応させて当該外来者の予想行先階ＭＣＣが記憶されたメモリ７ｂ１の先頭番地ｂ１が記憶されている。以下同様に記憶されて、ｖ番地から（ｖ＋ｍ）番地まで（ｍ＋１）人の指紋データＶＭを記憶する容量を有する。
【００２９】
次に、動作を図３から図９に基いて説明する。まず、図３により動作の全体概要を述べる。手順Ｇ１で指紋データＰｆが指紋検出器６から送られる。手順Ｇ２で乗場釦５から乗場呼びＨＣが送られる。手順Ｇ３で指紋データＰｆと乗場呼びＭＨＣが、それぞれ予想行先階記憶手段７から読み取った指紋データＭＭ及び乗場呼びＭＨＣと比較され、この比較結果に基づいて予想行先階記憶手段７から予想行先階ＭＣＣが読み取られる。手順Ｇ４においてかご３が到着すると、手順Ｇ５で予想行先階ＭＣＣがかご３内に設けられた応答灯１１に所定時間だけ表示される。手順Ｇ６で予想行先階ＭＣＣが行先階ＣＣとなって、手順Ｇ７でかご３は当該階床に向けて出発する。
以下の説明において、手順Ｇ３に該当する部分を次ぎのとおり実施例１から実施例５に分けて説明する。即ち、
実施例１は、利用客がビルの在籍者の場合を、図４と図５に基いて説明する。
実施例２は、利用客が外来者ではあるが、既にエレベーターを利用しており、従って、指紋データＭＭは登録されており、また、予想行先階ＭＣＣを決定するのに必要なデータもメモリ７に記載されている場合を、図６に基いて説明する。
実施例３は、同じく外来者であって、指紋データＭＭは登録されているが、予想行先階ＭＣＣを決定するのに必要なデータがメモリ７に記載されていない場合であって、かつ、１階ＵＰの乗場呼びＨＣの場合を、図７に基いて説明する。
実施例４は、実施例３の場合において、１階ＵＰ以外の乗場呼びＨＣの場合を、図８に基いて説明する。
実施例５は、指紋データＭＭが未登録の場合、即ち、初めて来館した場合を、図９に基いて説明する。
【００３０】
実施例１
図４の手順Ｓ１１で指紋検出器６が操作されるのを待つ。操作されると手順Ｓ１２で指紋データＰｆが検出されて予想行先階読取手段８に送られる。手順Ｓ１３及び手順Ｓ１４で乗場釦５が所定時間内に操作されたかチェックする。操作されない場合は手順Ｓ１５で指紋データＰｆはリセットされて手順Ｓ１１に戻り待機状態となる。操作された場合は手順Ｓ１６で乗場呼びＨＣが予想行先階読取手段８へ送られる。
【００３１】
指紋データＰｆから利用者を識別するため、手順Ｓ１７で変数ｋを「０」にセットする。手順Ｓ１８でメモリ７ｈから（ｈ＋ｋ）番地の指紋データＭＭｋを読み取り、手順Ｓ１９で指紋検出器６からの指紋データＰｆと照合する。この結果両者が等しくない場合は手順Ｓ２０及び手順Ｓ２１を経て手順Ｓ１８に戻り、順次後続の指紋データＭＭｋが読み取られて手順Ｓ１９で照合される。この手順を繰り返して最後の（ｈ＋ｎ）番地まで照合したが指紋検出器６からの指紋データＰｆとメモリ７ｈの指紋データＭＭとが一致しなかった場合は在籍者には該当者「なし」と判断されて、後述の図６に示す処理がなされる。
【００３２】
手順Ｓ１９で指紋データＰｆとメモリ７ｈの指紋データＭＭｋとが一致した場合、利用者は在籍者として識別されたことになり、手順Ｓ２２でその指紋データＭＭｋに対応させて記憶されている番地「ａｋ」が読み取られる。手順Ｓ２３で変数ｐが「０」に初期設定され、手順Ｓ２４で乗場呼びＭＨＣと予想行先階ＭＣＣが対応して記憶されているメモリ７ａｋの先頭番地ａｋから順に乗場呼びＭＨＣが読み取られ、手順Ｓ２５で乗場釦５からの乗場呼びＨＣとが照合される。一致しない場合は、手順Ｓ２６で変数ｐはインクリメントされる。この実施の形態では、ビルの階床は６階で、上記のとおり１階でのＤＯＷＮ呼び及び６階でのＵＰ呼びも考慮しているので、変数ｐは０から１１まで変化し、その間に乗場呼びＨＣは必ず乗場呼びＭＨＣと一致する。
【００３３】
手順Ｓ２５で乗場呼びＨＣと乗場呼びＭＨＣが一致した場合は、図５の手順Ｓ２７で乗場呼びＭＨＣに対応する予想行先階ＭＣＣがメモリ７ａｋから読み取られる。一方、手順Ｓ２８で、乗場呼びＨＣに割り当てられたかご３は、その階床に到着して戸２及び４を開くと、手順Ｓ２９で割当回路７Ｗ、点滅回路９並びに時限スイッチ１０ａの端子ａ１及びｃ１を介して、予想行先階ＭＣＣに対応する階床の応答灯１１を所定時間Ｔだけ点滅点灯させる。また、この所定時間Ｔ内では時限スイッチ１０ｂは端子ａ２と端子ｃ２が接続されているので、かご行先釦１２を操作することにより行先階ＣＣをエレベーターの制御盤１３の行先階登録回路１４に直接登録することもできる。そこで、手順Ｓ３０及びＳ３１でかご行先釦１２が上記所定時間Ｔ内に操作されたかチェックされる。
【００３４】
上記所定時間Ｔが経過すると手順Ｓ３２に移り、時限スイッチ１０ａ及び１０ｂがそれぞれ切り替り、端子ｂ１と端子ｃ１が、また端子ｂ２と端子ｃ２が接続される。この切替えによってかご行先釦１２による行先階ＣＣの登録は不能となり、予想行先階読取手段８が制御盤１３の行先階登録回路１４に接続される。この結果、手順Ｓ３３及び手順Ｓ３４で予想行先階ＭＣＣが行先階ＣＣとなって制御盤１３に入力される。また、応答灯１１も同様に行先階登録回路１４に接続されるので、手順Ｓ３５で上記行先階ＣＣを定常点灯によって表示し、手順Ｓ３６でかご３は行先階ＣＣへ向けて出発する。
【００３５】
また、手順Ｓ３０で所定時間Ｔ内にかご行先釦１２が操作されると、手順Ｓ３７でその操作によって新たに行先階ＣＣが指定されて制御盤１３に入力される。更に、手順Ｓ３８で上記行先階ＣＣは、予想行先階書込手段１６を介して（ａｋ＋ｐ）番地にそれ迄書き込まれていた予想行先階ＭＣＣ替って新たに予想行先階ＭＣＣとして書き込まれる。手順Ｓ３４に移り、かご行先釦１２で指定された行先階ＣＣが制御盤１３に入力され、手順Ｓ３５で応答灯１１は定常点灯となり、手順Ｓ３６でかご３は行先階ＣＣへ向け出発する。
【００３６】
実施例２
次に、手順Ｓ２０で利用客が在籍者に該当せず、外来者と判断された場合について、図６から図９に基いて説明する。
なお、外来者はエレベーターを使用させないものとして、手順Ｓ２０で在籍者ではない、と判断された場合は直ちに終了とすることもできる。特に防犯の要求の高い共同住宅においては、その需要が高い。しかし、通常は外来者であっても、頻繁に訪れる者もあることから、図２に示すように、外来者用のメモリ７ｖを設けて在籍者に準じて扱うという要求も考えられる。そこで、準じた取り扱いとするため上記外来者がメモリ７ｖに記憶されているか否かを調べる。
図６において、指紋データＰｆから利用客を識別するため、手順Ｓ４１で変数ｑを「０」に初期設定し、手順Ｓ４２でメモリ７ｖから（ｈ＋ｑ）番地の指紋データＶＭｑを読み取り、手順Ｓ４３で指紋検出器６からの指紋データＰｆと照合する。この結果両者が等しくない場合は手順Ｓ４４及び手順Ｓ４５を経て手順Ｓ４２に戻り、順次後続の指紋データＶＭｑが読み取られて手順Ｓ４３で照合される。この手順を繰り返して最後の（ｖ＋ｍ）番地まで照合したが指紋検出器６からの指紋データＰｆとメモリ７ｖの指紋データＶＭとが一致しなかった場合はメモリ７ｖには該当者「なし」と判断される。この場合の処理例は図９で述べる。
【００３７】
手順Ｓ４３で指紋データＰｆとメモリ７ｖの指紋データＶＭｑとが一致した場合、利用者は外来者ではあるが予め登録された者として識別されたことになり、手順Ｓ４６でその指紋データＶＭｑに対応させて記憶されている番地「ｂｑ」が読み取られる。手順Ｓ４７で変数ｐが「０」に初期設定され、手順Ｓ４８で乗場呼びＭＨＣと予想行先階ＭＣＣが対応させて記憶されているメモリ７ｂｑの先頭番地ｂｑから順に乗場呼びＭＨＣが読み取られ、手順Ｓ４９で乗場釦５からの乗場呼びＨＣとが照合される。一致しない場合は、手順Ｓ５０でメモリ７ｂｑの最終番地まで照合したかチェックされる。最終番地まで終了していない場合は、手順Ｓ５１で変数ｐはインクリメントされて最終番地まで照合される。
【００３８】
この実施例２では、外来者は１階からビル内に入ってエレベーターで目的階へ上り、その目的階から１階へ戻るものとした。従って、乗場呼びＭＨＣが１階である場合、対応する予想行先階ＭＣＣは前回来館時の行先階ＣＣとなるが、乗場呼びＭＨＣが１階以外の場合、対応する予想行先階ＭＣＣは全て１階に自動的に設定されるものとして、図２に示すとおりメモリ７ｂ０、７ｂ１−７ｂｍを構成した。
【００３９】
手順Ｓ４９で乗場呼びＨＣと乗場呼びＭＨＣが一致した場合、手順Ｓ５３で乗場呼びＭＨＣに対応する予想行先階ＭＣＣがメモリ７ｂｑから読み取られる。以下、図５に示す手順Ｓ２８から手順Ｓ３８と同じ一連の処理がなされる。従って、外来者の復路は自動的に１階と設定されるが、１階へ直接下りるのではなく、途中階に立ち寄る場合は、所定時間Ｔ内にかご行先釦１２を操作することにより図５に示す手順Ｓ３０→手順Ｓ３７→手順Ｓ３８→手順Ｓ３４のルートで希望する目的階に行くことができる。かかる操作は従来のエレベーターの呼び登録の場合と同様であり、何ら違和感はないと考えられる。この途中階から次にエレベーターに乗って１階へ下りる場合は、実施例４の説明による。
【００４０】
実施例３
乗場釦５からの乗場呼びＨＣがメモリ７ｂｑに記載されていない場合、手順Ｓ５０で「Ｙ」となって以下図７に示す処理がなされる。即ち、外来者は在籍者と異なり、１階と目的階との往復であって階間交通はないとしているので、乗場呼びＭＨＣは全階床の乗場呼びＨＣを記憶するだけの容量がない。このため、外来者の場合は、指紋データＶＭはメモリ７ｖに記録されるが、対応するメモリ７ｂｑのｂｑ番地から（ｂｑ＋２）番地に、外来者が操作した乗場釦５による乗場呼びＨＣと一致する乗場呼びＭＨＣが記録されていない場合がある。
図７及び図８は、かかる場合に乗場呼びＨＣ及びかご行先釦１２による行先階ＣＣからメモリ７ｂｑの乗場呼びＭＨＣ及び予想行先階ＭＣＣを決定する処理例を示すものである。
尚、図６の手順Ｓ５０で「Ｙ」となった場合、即ち、メモリ７ｂｑから予想行先階ＭＣＣを読取れないことが判明した場合は、図７及び図８による処理に替って、上記判明した時から所定時間Ｔだけかご行先釦１２を有効として、この間にかご行先釦１２で指定された行先階ＣＣを行先階登録回路１４に登録するようにしてもよい。
【００４１】
このうち、実施例３は、図７において手順Ｓ６１での調査の結果、乗場呼びＨＣが１階ＵＰ呼びの場合の処理について示し、１階ＵＰ呼び以外の場合は実施例４として図８に示す。
手順Ｓ６２でメモリ７ｂｑの乗場呼びＭＨＣ及び予想行先階ＭＣＣを図７に（Ａ）に示すとおり仮に設定する。外来者は往復行動であるから、（ｂｑ＋１）及び（ｂｑ＋２）番地の乗場呼びＭＨＣは、往路の行先階ＣＣの乗場呼びとした。手順Ｓ６３で１階乗場呼び１Ｕに対する予想行先階ＭＣＣとして「５」を読取る。一方、手順Ｓ６４でかご３は乗場呼びＨＣに応答して１階に到着して戸２及び４を開く。これを待って手順Ｓ６５で予想行先階ＭＣＣ「５」は点滅回路９及び時限スイッチ１０ａを介して応答灯１１を点滅点灯させる。以下、手順Ｓ６６→手順Ｓ６７→手順Ｓ６５により所定時間Ｔだけ応答灯１１は予想行先階ＭＣＣ「５」を点滅点滅点灯する。利用客はこれを見て行先階を変更する必要がないと判断した場合は、その所定時間Ｔの経過後にメモリ７ｂｑは同図（Ａ）に示す仮設定がそのまま採用され、手順Ｓ６９で乗場呼び１Ｕに対する予想行先階ＭＣＣが行先階ＣＣとなって、手順Ｓ７０でエレベーター制御盤１３に登録される。手順Ｓ７１で応答灯１１を定常点灯させて、手順Ｓ７２でかご３は行先階ＣＣへ向けて出発する。
【００４２】
また、所定時間Ｔ内にかご行先釦１２が操作されると手順Ｓ６６から手順Ｓ７３に移り、かご行先釦１２で指定された行先階ＣＣがｂｑ番地の予想行先階ＭＣＣとして書き込まれる。また、手順Ｓ７４で予想行先階ＭＣＣの乗場呼びＨＣを（ｂｑ＋１）番地及び（ｂｑ＋２）番地の乗場呼びＭＨＣとして書き込む。即ち、手順Ｓ７３及び手順Ｓ７４により、仮に設定されたメモリ７ｂｑを図６の（Ａ）から（Ｂ）に書き換えたことになる。手順Ｓ７０ではかご行先釦１２で指定された行先階ＣＣが制御盤１３に登録されて、以下、上記のとおりかご３は行先階ＣＣへ向けて１階を出発する。この外来者は、次回来館の際は今回と同一階が行先階ＣＣとして制御盤１３に自動登録されることになる。
【００４３】
実施例４
図８は、外来者について、メモリ７ｖに指紋データＶＭは記録されているが、乗場釦５からの乗場呼びＨＣに相当する乗場呼びＭＨＣがメモリ７ｂｑに記録されておらず、しかも、今回乗場釦５による乗場呼びＨＣが１階以外の場合の処理について例示したものである。具体例として、外来者が階段で上り、下りるときにエレベーターを使用する場合が考えられる。
【００４４】
手順Ｓ８１から手順Ｓ８４は、図８に示すメモリ７ｂｑを（Ｃ）の内容に書き込むための処理である。即ち、外来者は１階以外の階床で乗場呼びＨＣを発生させているが、本来は１階ＵＰ呼び１Ｕが起点となり、現在乗場呼びＨＣが発生している階床は、今後は行先階ＣＣになるものと仮定し、この外来者は両階床間を往復するものとして自動的に書き込んだものである。
即ち、手順Ｓ８１で１階ＵＰ呼び１Ｕをメモリ７ｂｑのｂｑ番地に乗場呼びＭＨＣとして書き込む。手順Ｓ８２で乗場呼びＨＣの発生階をｂｑ番地の予想行先階ＭＣＣとして書き込む。手順Ｓ８３で乗場呼びＨＣを（ｂｑ＋１）番地及び（ｂｑ＋２）番地の乗場呼びＭＨＣとして書き込む。更に、手順Ｓ８４で（ｂｑ＋１）番地及び（ｂｑ＋２）番地の予想行先階ＭＣＣを１階として書き込む。手順Ｓ８５でメモリ７ｂｑから乗場呼び発生階「４」に対する予想行先階ＭＣＣとして「１」を読取る。手順Ｓ８６で割当かご３が乗場呼びＨＣの発生階「４」階に到着して戸２及び４を開くのを待って、予想行先階ＭＣＣを点滅回路９、時限スイッチ１０ａを介して応答灯１１に点滅点灯させる。利用客は応答灯１１を見て行先階を変更する必要がないと判断した場合は、その所定時間Ｔの経過によってメモリ７ｂｑは同図（Ｃ）に示す設定がそのまま採用され、手順Ｓ８８、手順Ｓ８９を経て手順Ｓ９０で予想行先階ＭＣＣは「１」が行先階ＣＣとなり、手順Ｓ９１で制御盤１３に登録される。同時に手順Ｓ９２で応答灯１１は定常点灯となって、手順Ｓ９３でかご３は行先階ＣＣへ向けて出発する。
【００４５】
また、所定時間Ｔ内にかご行先釦１２が操作されると手順Ｓ８８から手順Ｓ９４に移り、かご行先釦１２で指定された行先階ＣＣがｂｑ番地の予想行先階ＭＣＣとして書き込まれる。また、手順Ｓ９５で、かご行先釦１２で指定された行先階ＣＣの乗場呼びＨＣを（ｂｑ＋１）番地及び（ｂｑ＋２）番地の乗場呼びＭＨＣとして書き込む。即ち、手順Ｓ９４及び手順Ｓ９５により、メモリ７ｂｑの内容を図７の（Ｃ）から（Ｄ）に書き換えたことになる。手順Ｓ９０ではかご行先釦１２で指定された行先階ＣＣが制御盤１３に登録されて、以下、上記のとおりかご３は行先階ＣＣへ向けて１階を出発する。この外来者は、次回来館の際は（Ｄ）に示すメモリ７ｂｑの内容に従って呼びの登録がなされることになる。
【００４６】
実施例５
図９は、外来者の指紋データＶＭがまだメモリ７ｖに記録されておらず、識別できない場合の処理について示す。
新たな外来者の指紋データＶＭはメモリ７ｖの先頭番地、即ち、図２に示すｖ番地に記録される。そのため、まず、メモリ７ｖにおいて既存の指紋データＶＭを１番地ずつ昇順に移動させる。この移動によって、（ｖ＋１）番地の指紋データＶＭ１は、それまでｖ番地に記載されていた指紋データＶＭ０が記載されることになる。また、最後の番地（ｖ＋ｍ）の指紋データＶＭｍは、それまで（ｖ＋ｍ−１）番地に記載されていた指紋データＶＭ（ｍ−１）が上書きされたものとなり、それまで（ｖ＋ｍ）番地に記載されていた指紋データＶＭｍは消滅する。また、指紋データＶＭの移動に対応させて、メモリ７ｂ０からメモリ７ｂｍの内容も、移動させる必要がある。この移動によって、メモリ７ｂ１の内容は、それまでメモリ７ｂ０に記載されていた乗場呼びＭＨＣ及び予想行先階ＭＣＣが記載されることになる。また、最後のメモリ７ｂｍには、それまでメモリ７ｂ（ｍ−１）に記載されていた乗場呼びＭＨＣ及び予想行先階ＭＣＣが上書きされたものとなり、それまでメモリ７ｂｍに記載されていたものは消滅する。
【００４７】
図９の手順Ｓ１０１から手順Ｓ１０６は、上記移動処理を行うものである。即ち、上書きによるデータの消滅を避けるため、最後の番地から降順に処理する必要がある。手順Ｓ１０１で、変数ｑをｍに設定する。手順Ｓ１０２で（ｖ＋（ｑ−１））番地の指紋データＶＭを（ｖ＋ｑ）番地へ上書き移動する。手順Ｓ１０３で対応するメモリ７ｂ（ｑ−１）の乗場呼びＭＨＣ及び予想行先階ＭＣＣをメモリ７ｂｑへ上書き移動する。手順Ｓ１０４で先頭、即ちｖ番地、又はメモリ７ｂ０まで移動したか否かチェックする。順に移動して先頭まで移動すると、手順Ｓ１０６に移り、先頭のｖ番地に新たな外来者の指紋を書き込む。この書込みによって、外来者は個人の識別が可能な者となる。
従って、以後の処理は、手順Ｓ１０７でこの外来者が操作した乗場釦５による乗場呼びＨＣが１階のＵＰ呼びであるか否かチェックし、１階のＵＰ呼びであれば結合子６で示す図７の手順Ｓ６２からの処理がなされる。但し、メモリ７ｂｑは、この実施例ではメモリ７ｂ０が使用される。また、１階のＵＰ呼び以外であれば結合子４で示す図８の手順Ｓ８１からの処理がなされる。同様にメモリ７ｂ０が使用される。
【００４８】
上記実施の形態１によれば、在籍者に対してはＵＰ及びＤＯＷＮの乗場釦５のそれぞれに対して１の予想行先階ＭＣＣを設定するとしたので、行先階ＣＣが利用者の意図する階床と一致する確率が高いことが想定される。
また、外来者に対しても、自動登録が可能である。
更に、行先階の自動登録ばかりでなく、利用者の指紋が記録されるので、防犯にも有益である。特に、外来者に対しては防犯の意義は大きい。
【００４９】
なお、上記実施の形態１では、個人識別手段として指紋検出器６を用いるものとしたが、識別カードリーダであってもよい。
また、指紋検出器６は乗場釦５と別体としたが、指紋検出器そのものをＵＰ用とＤＯＷＮ用の乗場釦としてもよい。この場合は乗場呼びと指紋検出を一操作で行うことができる。
更に、指紋データが記録されていない新たな外来者を予想行先階記憶手段７に記録する場合に、先頭番地に書き込むものとしたが、最後の番地に書き込むものとしてもよい。即ち、新規の書込みは、常に一定の番地に書き込むこととし、既存のデータはその一定の番地から一定の順序で移動させることにすればよいものである。これにより、一度しか来館しないような外来者は自然に消去され、頻繁に来館する外来者のみが残ることになり、メモリの有効利用が可能となる。
【００５０】
実施の形態２．
図１０は、乗場１には乗場釦５のみとし、指紋検出器６ｃはかご３に設けた他の実施の形態を示す。この実施の形態では、まず、乗場釦５でかご３を呼び寄せた後、かご３に乗り込んで、指紋検出器６ｃから識別信号Ｐｆｃを予想行先階読取手段８に送る。これにより、利用客を識別し、その識別結果と乗場呼びＨＣとから予想行先階ＭＣＣを、予想行先階記憶手段７から読み取ることができる。以下、実施の形態１で述べたと同様であるので、説明を省く。
この実施の形態によれば、指紋検出器は、かご３内に１台設けるだけでよく、各階床毎に設けるとした実施の形態１に比べて安価となる。
ところで、予想行先階ＭＣＣは始発階との関連で定まるものであるから、予想行先階ＭＣＣを読み取るには利用客が指紋信号Ｐｆｃを発した階床を検知する必要がある。一方、指紋検出器６ｃをかご３に設けた場合は、識別信号Ｐｆｃと階床との関連が一定しない。そこで、識別信号Ｐｆｃと階床とを関連付けるには、かご３が停止している階床をエレベーターの制御盤１３から読み取って、その階床の乗場呼びＨＣと識別信号Ｐｆｃとを関連付けることが要件となる。更に限定するとすれば、少なくとも利用客がかご３内に乗り込む必要があることから、指紋検出器６ｃの操作されるタイミングを、戸が開いている間に限るとしてもよく、また、戸が開き始めてから次ぎにかご３が昇降起動する迄の間としてもよい。なお、かご３の存在する階床を検出する装置は周知慣用されており、その説明は省略する。
【００５１】
実施の形態３．
図１１は、乗場釦５を省き各乗場１には指紋検出器６を１台設けたものである。この実施の形態では、まず、指紋検出器６を操作する。この操作にによる識別信号Ｐｆから利用者の識別を行うと共に、この識別信号Ｐｆの発せられた階床からかご３の呼寄せの双方を行うものである。但し、指紋検出器６は１台しか設けられていないので、その識別信号Ｐｆからは方向性を読取ることはできない。このため、この実施の形態における予想行先階記憶手段７ｓの内容は、図１２に示すとおり、各階床毎に１つの乗場呼びＭＨＣに対して１つ予想行先階ＭＣＣが対応する。
この実施の形態についても、上記識別信号Ｐｆとこの識別信号Ｐｆが有する乗場呼びＭＨＣの要素とから予想行先階記憶手段７ｓに記載されている予想行先階ＭＣＣを読み取ることができる。この予想行先階ＭＣＣが利用客の意に反するものである場合は、所定時間Ｔ内にかご行先釦１２を操作することによって訂正することができる。また、指紋の登録が済んでいない外来者であっても呼びの登録を行うことができる。その具体的内容は実施の形態１と同様であり、説明を省略する。
【００５２】
実施の形態４．
ビル内の動線は時間帯によって異なる。例えば、出勤時間帯、昼食時間帯、退勤時間帯、また、勤務時間帯のそれぞれによって特有の動線がある。
図１３は、こうした変動に対して時間帯ごとに異なる予想行先階記憶手段７ｔ１、７ｔ２−７ｔｎを設け、時計ＴＭによってその時間帯で使用すべき予想行先階記憶手段７ｔ１、７ｔ２−７ｔｎを選択するようにしたものである。選択した後は、上記実施の形態１と同様であり、説明を省略する。
この実施の形態４によれば、その時間帯ごとの予想行先階ＭＣＣの設定が可能となり、利用者の動線により的確に合わせることができる。
なお、時間帯は、一日をサイクルとするもの、更に一週間をサイクルとするもの等複雑であり、その全てについて予め設定しておくことは容易ではない。そこで、一定の時間帯についてのみ時間帯毎の予想行先階記憶手段を用意するものとし、いずれの時間帯にも属さない時刻でエレベーターを使用する場合は、その時刻が最も近接する時間帯の予想行先階記憶手段７ｔ１、７ｔ２−７ｔｎを使用するものとしてもよい。
【００５３】
【発明の効果】
以上述べたとおり、この発明に係るエレベーターの呼び登録装置の発明は、以下の効果を奏する。
請求項１に記載の発明は、エレベーターの利用客毎に始発階と関連させて行先階を予想し、この行先階を予想行先階として予め予想行先階記憶手段に記憶させておいて、現実の稼動状態では乗場に設けられた個人識別手段で利用客を識別し、この識別結果により上記予想行先階を読み取り、一旦この予想行先階を確認すべくかご内に表示した後に最終的な行先階としてエレベーターの制御盤に自動的に登録し、仮に行先階が予想行先階と異なる場合は、新たにかご行先釦で行先階を指定することにより登録するようにしたものである。
このため、個人識別が本来的に有する防犯機能に加えてかごの行先階を自動登録でき、仮に自動登録された行先階が意図する行先階と異なる場合はかご行先釦で訂正できるという効果を奏する。
【００５４】
請求項２に記載の発明は、個人識別手段をかご内に設け、この識別信号とかごの停止している階床とから予想行先階を読み取ってかご内に表示し、確認の後に予想行先階を最終的に行先階としてエレベーターの制御盤に登録するようにしたものである。
この発明においても、行先階の自動登録とその訂正が可能であると同時に、識別手段をかご内に設けるものとしたので、各階床に設ける場合に比べて安価であり、また、保守点検の手間も軽減できるという効果を奏する。
【００５５】
請求項３に記載の発明は、請求項２に記載の発明において、エレベーターが一の階床で戸を開いている間に操作された識別信号と上記階床とから対応する予想行先階を読み取るようにしたものである。
個人識別手段が、かご内に設置されている場合は、当然に利用者はかごに乗り込んでから操作することになり、そうした操作を確実に行い得るという効果を奏する。
【００５６】
請求項４に記載の発明は、請求項２に記載の発明において、かごが一の階床で戸を開き始めた時から次に上記かごが上記一の階床から昇降起動するまでの間に個人識別手段が操作された場合に、その識別信号と上記階床とから対応する予想行先階を読み取るようにしたものである。このため、請求項４に記載の発明よりも更に長期に亘って個人識別手段を有効に操作するすることができるという効果を奏する。
【００５７】
請求項５に記載の発明は、請求項１から請求項４のいずれかに記載の発明において、個人識別手段による識別信号と、この個人識別手段が操作されたときの階床と、上記識別信号及び上記階床に対応させて予め定められた予想行先階とを一連として予想行先階記憶手段に記憶させるようにしたものである。このため、この一連のデータの構成によって、利用者の対象範囲、及び予想行先階を設定するときの始発階の対象を自由に設定ことができる。この設定により、エレベーターの使用を閉鎖的なものとして防犯に重点をおいた使用とすることもできるし、また、行先階の自動登録を可能とするという機能面を重視した使用とすることもできるという効果を奏する。
【００５８】
請求項６に記載の発明は、請求項１から請求項４のいずれかに記載の発明において、個人識別手段による識別信号と、この個人識別手段が操作されたときの階床及び時間帯と、上記識別信号と上記階床及び上記時間帯に対応させて予め定められた予想行先階とを一連として予想行先階記憶手段に記憶させておいて、上記識別信号と上記階床及び上記時間帯とから対応する上記予想行先階を読み取るようにしたものである。
このため、時間帯ごとに動線が異なっても利用客の意向に合った予想行先階を設定することができるという効果を奏する。
【００５９】
請求項７に記載の発明は、請求項１から請求項４のいずれかに記載の発明において、識別信号と階床及び個人識別手段が操作された時間帯とから対応する予想行先階を読み取り、また、上記時間帯に対応した上記予想行先階が予想行先階記憶手段に記憶されていない場合は最も近い時間帯に対応した上記予想行先階を読み取るようにしたものである。
このため、予想行先階の設定作業を軽減できるという効果を奏する。
【００６０】
請求項８に記載の発明は、請求項１から請求項７のいずれかに記載の発明において、かご行先釦による行先階の指定は、予想行先階がかご内に表示されている所定時間内、又は、上記予想行先階が読み取れない場合は、読み取れないことが判明した時から所定時間内に行うことができるようにしたものである。
このため、予想行先階の訂正操作又は予想行先階を読取り不可能な場合の操作は、従来と同様の操作となり、特に外来者にとって違和感のないエレベーターの利用が可能となる、という効果を奏する。
【００６１】
請求項９に記載の発明は、請求項１から請求項７のいずれかに記載の発明において、利用客の識別結果が予め記憶された識別結果と一致した場合のみエレベーターの制御盤への行先階の登録を可能とするようにしたものである。このため、特別に許可された者しかエレベーターを利用することができず、防犯の効果を奏する。
【００６２】
請求項１０に記載の発明は、請求項１から請求項９のいずれかに記載の発明において、識別信号が発せられた階床に割り当てられたかご内に設置されたかご行先釦によって予想行先階に優先して行先階を制御盤に登録するようにしたものである。このため、同一階に複数のエレベーターが停止した場合であっても、個人識別された利用者が本来乗るべきかごに限り予想行先階を変更して制御盤に登録することができることとなり、複数のエレベーターに同一の行先階が登録されるという無駄を避けることができる。
【００６３】
請求項１１に記載の発明は、請求項１から請求項１０のいずれかに記載の発明において、応答灯の点灯態様を予想行先階と行先階とで異なるようにしたものである。このため、予想行先階であってまだ訂正できる段階か又は行先階として決定されて訂正できない段階かの識別が容易であるという効果を奏する。
【００６４】
請求項１２に記載の発明は、請求項１１に記載の発明において、予想行先階を表示する場合は点滅点灯させ、行先階を表示する場合は応答灯を定常点灯させるようにしたものである。このため、行先階を訂正できるか否かを容易に峻別できるという効果を奏する。
【００６５】
請求項１３に記載の発明は、請求項１から請求項１２のいずれかに記載の発明において、個人識別手段は予め登録された個人についてのみ識別信号を発するようにしたものである。このため、エレベーターの使用を特定の許可された人に限ることができる。
【００６６】
請求項１４に記載の発明は、請求項１から請求項１３のいずれかに記載の発明において、個人識別手段として指紋検出器を用いるようにしたものである。このため、エレベーターの押し釦を操作する場合と大差がなく、違和感のない操作ができるという効果を奏する。
【００６７】
請求項１５に記載の発明は、請求項１から請求項１４のいずれかに記載の発明において、かご行先釦により行先階が指定された場合は、上記行先階を新たな予想行先階として記憶させるようにしたものである。このため、従来のエレベーターの呼び登録装置と同様の操作を通じて予想行先階記憶手段の修正が自動的に行われることになり、経時的変化に柔軟に追従できるという効果を奏する。
【図面の簡単な説明】
【図１】  この発明の実施の形態１の概略構成を示すブロック図。
【図２】  予想行先階記憶手段７のデータの構成を示す図。
【図３】  この発明の実施の形態１の動作概要を示す流れ図。
【図４】  在籍者に対する処理内容を示す流れ図。
【図５】  在籍者に対する処理内容を示す流れ図。
【図６】  外来者に対する処理内容を示す流れ図。
【図７】  外来者に対する処理内容を示す流れ図。
【図８】  外来者に対する処理内容を示す流れ図。
【図９】  外来者に対する処理内容を示す流れ図。
【図１０】  この発明の実施の形態２の概略構成を示すブロック図。
【図１１】  この発明の実施の形態３の概略構成を示すブロック図。
【図１２】  予想行先階記憶手段７ｓのデータの構成を示す図。
【図１３】  この発明の実施の形態４の概略構成を示すブロック図。
【符号の説明】
１  乗場、２  乗場の戸、３  かご、４  かごの戸、５  乗場釦、６  個人識別手段、７  予想行先階記憶手段、７Ｗ  割当回路、８  予想行先階読取手段、９  点滅回路、１０  時限手段、１１  応答灯、１２  かご行先釦、１３  各台制御盤、１４  行先階登録回路、１５  乗場呼び登録回路、１６  予想行先階書込手段。
【図１】
0003939027.tif 000002
【図２】
0003939027.tif 000003
【図３】
0003939027.tif 000004
【図４】
0003939027.tif 000005
【図５】
0003939027.tif 000006
【図６】
0003939027.tif 000007
【図７】
0003939027.tif 000008
【図８】
0003939027.tif 000009
【図９】
0003939027.tif 000010
【図１０】
0003939027.tif 000011
【図１１】
0003939027.tif 000012
【図１２】
0003939027.tif 000013
【図１３】
0003939027.tif 000014